(57)【特許請求の範囲】
【請求項１】
遺体を洗浄するための洗浄槽を搭載して現地まで出向き、現地において搭載された前記洗浄槽を室内へ搬入し、車両に設けられた加温器を利用して得られた温水を用いて前記洗浄槽の中で遺体を洗浄し、遺体の洗浄が完了した際には、前記洗浄槽に残溜する汚水を回収して持ち帰る湯灌サービスの提供を行う業者に用いられる湯灌用特殊車両であって、
荷物室を上空間と下空間とに区画するように配置され、該上空間に棺を載置できるように構成された棺台と、
前記下空間の左右両端に配置され、前記洗浄槽に残った汚水を貯留する一対の略円筒状の排水タンクと、を有しており、
前記棺台の少なくとも一部を前記排水タンクを利用して支持したことを特徴とする湯灌用特殊車両。
【請求項２】
前記湯灌用特殊車両は、荷物室の床の左右両端に突出する一対のリアタイヤ用のタイヤハウスを有しており、
前記排水タンクは、前記棺台と前記荷物室の床との間であって、前記一対のタイヤハウスの上方にそれぞれ配置されていることを特徴とする請求項１記載の湯灌用特殊車両。
【請求項３】
前記排水タンクは、前記タイヤハウスの上方に位置するように、前記荷物室の床に立設された支持脚を介して、支持されていることを特徴とする請求項２記載の湯灌用特殊車両。
【請求項４】
前記棺台は、前記排水タンクに、支持部材を介して支持されていることを特徴とする請求項２記載の湯灌用特殊車両。
【発明の詳細な説明】
【０００１】
【発明が属する技術分野】
本発明は、湯灌サービスの提供を行う業者に用いられる湯灌用特殊車両に関し、特に、従来と比較して高い強度を有する排水タンクを備えるとともに、荷物室を従来と比較して有効に利用できるように改善された湯灌用特殊車両に関する。
【０００２】
【従来の技術】
一般に、我が国における葬儀においては、納棺に先立って「湯灌の儀」と称される儀式が実施される場合が多い。湯灌の儀とは、故人の現世での煩悩を洗い清め、現世での汚れを一切落とし、安らかに見送ることを目的として行われる儀式である。この湯灌の儀は、主として、故人の納棺に先だって、遺体を洗浄するための専用の槽（洗浄槽）において、温水を用いて故人の体を洗い清めることによって行われる。
【０００３】
このような湯灌の儀は、従来は遺族の手により行われていたが、最近では湯灌サービスの提供を専門とする湯灌業者によってとり行われるケースが増加している。湯灌業者により提供されるサービスの内容は、概略、以下の通りである。すなわち、先ず、湯灌業者は、遺体を洗浄するための洗浄槽を車両に搭載し、故人の家族等が待つ現地まで出向く。車両が現地に到着すると、搭載された洗浄槽を故人が安置されている室内等に搬入する。次に、故人の体を洗浄槽に移し、該洗浄槽内において、温水を用いて故人の体を洗浄する。そして、湯灌の儀が終了した際には、洗浄槽に残溜する汚水（遺体の洗浄に用いられた温水）を回収して持ち帰る。
【０００４】
そして、このような湯灌サービスの特殊性に鑑み、湯灌業者においては、専ら湯灌サービスの提供に用いられる「湯灌車」と称される湯灌用特殊車両が使用されている。
【０００５】
図７は、従来の湯灌用特殊車両１０の上面図であって、一部を切り欠いた状態を示している。図８は、棺５を搭載した従来の湯灌用特殊車両１０の背面図であって、後部ドアを取り除いた状態を示している。
【０００６】
従来の湯灌用特殊車両１０は、一般的に用いられているワゴンタイプの自動車を改良したものであり、概略、水を加熱する加温器により加熱された温水を貯留する温水タンク３１と、洗浄槽へ温水槽内の温水を送出する送出ポンプ３２と、洗浄槽２に残溜する汚水を貯留するための排水タンク４１と、排水タンク４１内の圧力を減少させる減圧ポンプ４２とを備えている。また、この湯灌用特殊車両１０には、洗浄槽２が持ち運び可能に搭載されるようになっている。
【０００７】
図７に示す排水タンク４１は、湯灌用特殊車両１０の荷物室６の床上に直接載置されている。洗浄槽２に残溜する汚水を回収する際には、減圧ポンプ４２が前記排水タンク４１に負圧を与える。そして、減圧ポンプ４２により排水タンク４１が減圧された際には、負圧によって汚水が排水タンク内に流入し、洗浄槽２に残溜する汚水が湯灌用特殊車両１０に回収されるようになっている。
【０００８】
また、近年、湯灌業者に対しては、上述した湯灌の儀に加えて、納棺の儀までをもとりおこなう要望が増加している。このような要望に応じるべく、湯灌用特殊車両１０には、上述した装備品等に加えて、棺５を搭載することができるようになっている（図８参照）。
【０００９】
棺を湯灌用特殊車両１０に搭載する場合には、衛生上の理由から、棺が水等で汚れないように注意する必要がある。また、死者をおさめて葬るという棺の性質上、搭載された棺の上に他の用具等を置くことは避けるべきである。
【００１０】
このような理由から、湯灌用特殊車両１０には、さらに、該湯灌用特殊車両の荷物室６を、棺５を収容する上空間６１とその他の装備品等を収容する下空間６２に区画し、上空間側に棺５を載置することができる棺台７が設けられている。この棺台７は、図８に示すように、荷物室６の床に立設する複数の支柱７５を介して、荷物室に設置されている。
【００１１】
一方、棺台７の下方（下空間）には、洗浄槽２や排水タンク４１等の装備品が設置されるようになっているが、これらの装備品の設置に当たっては、湯灌用特殊車両１０の荷物室６に設けられたリアタイヤ用のタイヤハウス６４を考慮する必要がある。
【００１２】
タイヤハウス６４は、通常、荷物室６の床の左右両端に突出して形成されている。従来の湯灌用特殊車両１０においては、排水タンク４１を備え付ける場合、図７に示すように、排水タンク４１をタイヤハウス６４に隣接させて荷物室６の床に直接設置している。
【００１３】
しかしながら、従来の湯灌用特殊車両においては、排水タンクの形状に関する点と、湯灌用特殊車両に設置される装備品等の配置に関する点で以下のような問題が生じている。
【００１４】
従来の湯灌用特殊車両においては、排水タンクは略直方体状に形成されている。このような形状は過度の負圧に耐えることができる形状ではないため、場合によっては、減圧ポンプにより負圧を与えた際に亀裂、変形等が生ずる場合がある。
【００１５】
また、湯灌用特殊車両のベースとなる車両の荷物室の容量は、上記装備品、搭載品等を余裕をもって収容し得るほど大きくはない。一方、従来の湯灌用特殊車両は、ほとんどの装備品等を床上に載置しており、例えば、タイヤハウスと棺台の間の空間は使用していない。このような装備品等の配置は、荷物室を有効に利用するものとは言い難く、また上記装備品等以外の道具等を搭載することを困難にしている。
【００１６】
【発明が解決しようとする課題】
上述した問題点に鑑み、本発明は、従来と比較して強度を向上させた排水タンクを備える湯灌用特殊車両であって、かつ荷物室の空間を有効に利用できるように設計された湯灌用特殊車両を提供することを目的とする。
【００１７】
【課題を解決するための手段】
上記目的を達成するために、本発明の湯灌用特殊車両は、
荷物室を上空間と下空間とに区画するように配置され、該上空間に棺を載置できるように構成された棺台と、
前記下空間の左右両端に配置され、前記洗浄槽に残った汚水を貯留する一対の略円筒状の排水タンクと、を有しており、
前記棺台の少なくとも一部を前記排水タンクを利用して支持している。
【００１８】
このように排水タンクを略円筒状に形成することにより、減圧ポンプによる排水タンクの減圧の際に、排水タンクの変形や亀裂等の発生を防止することが可能になる。
【００１９】
また、棺台の一部を排水タンクに支持させることにより、棺台をより安定的に支持することが可能になる。
【００２０】
また、好ましくは、本発明の湯灌用特殊車両は、荷物室の床の左右両端に突出する一対のリアタイヤ用のタイヤハウスを有しており、前記排水タンクは、前記棺台と前記荷物室の床との間であって、前記一対のタイヤハウスの上方にそれぞれ配置されている。
【００２１】
これにより、排水タンクの位置が高くなるので、排水タンクの下に配管（排出管）を配置することが可能になる。その結果、排水タンクに貯留する汚水を、完全に排出させることが可能になる。
【００２２】
さらに、好ましくは、前記排水タンクは、前記タイヤハウスの上方に位置するように、前記荷物室の床に立設された支持脚を介して支持されている。
【００２３】
さらに、好ましくは、前記棺台は、支持部材を介して前記排水タンクに支持されている。
【００２４】
これにより、荷物室の床に対する棺台の支持を、排水タンクの支持脚と兼用することができるため、部材も少なくて済み、荷物室の空間を有効に利用することが可能になる。その結果、湯灌の儀式に必要とされる道具等の小物をより多く、整頓して搭載することが可能になる。
【００２５】
【発明の実施の形態】
以下、本発明の実施形態を添付図面に基づいて詳細に説明する。
【００２６】
先ず、図１ないし図３に基づいて、本発明の湯灌用特殊車両（以下、「湯灌車」と略称する。）の構成について説明する。
【００２７】
図１は、湯灌用特殊車両の側面図であって、一部を切り欠いた状態を示している。図２は、湯灌用特殊車両の上面図であって、一部を切り欠いた状態を示している。図３は、湯灌用特殊車両の背面図であって、後部ドアを取り除いた状態を示している。
【００２８】
なお、本発明の説明に用いられる図面において、ｆ方向の矢印は運転席側（車両の前方）を示し、ｒ方向の矢印は後部ドア側（車両の後方）を示している。また、Ｒ方向の矢印は車両の進行方向に対して右側を示し、Ｌ方向の矢印は左側を示している。
【００２９】
図２及び図３に示すように、湯灌車１は、現地において室内に搬入される洗浄槽２を搭載できるように構成されている。
【００３０】
この湯灌車１には、湯灌の儀を行う際に洗浄槽２へ遺体洗浄用の温水を供給するために、概略、水を加熱する加温器により加熱された温水を貯留する温水タンク３１と、室内に搬入された洗浄槽２へ温水を送出する送出ポンプ３２と、が設けられている。
【００３１】
また、遺体の洗浄が完了した際に洗浄槽２に残溜する汚水を回収するために、湯灌車１には、概略、洗浄槽２に残溜する汚水を貯留する一対の排水タンク４１と、汚水が排水タンク４１内に吸引され得るように該排水タンク内の圧力を減少させる減圧ポンプ４２とが設けられている。なお、温水の送出及び汚水の回収に際しては、湯灌車１に持ち運び自在に搭載されたホースリール８が用いられるようになっている。
【００３２】
また、本発明の湯灌車１は、湯灌の儀のみならず納棺の儀の要望にも応じることができるように、上述した装備品等に加えて、棺５を搭載することができるように構成されている。
【００３３】
棺５を湯灌車に搭載するにあたっては、主に、以下の３つの点を考慮する必要がある。第１に、近年増加傾向にある湯灌の儀及び納棺の儀の要望を考慮して、一度の出張で、２件分（２遺体分）の湯灌の儀及び納棺の儀を行うことができるように、湯灌車１に２つの棺を搭載させる必要がある。第２に、衛生上の理由から、搭載された棺が水等で汚れないように注意する必要がある。第３に、死者をおさめて葬るという棺の性質上、搭載された棺の上に他の用具等を置くことや棺を積み重ねることは避ける必要がある。
【００３４】
これらの事情を考慮して、湯灌車１には、さらに、該湯灌車の荷物室６を、２つの棺５を収容し得る上空間６１と、その他の装備品等を収容する下空間６２に区画する棺台（天板）７が設けられている（図３参照）。この棺台７は、棺５を載置するための木製の載置板７１と、複数の金属製部材を組み合わせてなる前記載置板７１を載置するフレーム７２とから構成されている。
【００３５】
本実施形態において、棺台７は、荷物室６の床から所定の高さに位置できるように、後述する下空間６２側に配置された一対の排水タンク４１と、その他の支柱等を利用して支持されている。
【００３６】
図４は、湯灌車１の荷物室６の左側に位置する排水タンク４１と、棺台７のフレーム７２の一部を示す分解斜視図である。
【００３７】
排水タンク４１は、略円筒状に形成され、棺台７の下方（下空間）の左右両端のタイヤハウス上側の空間にそれぞれ配置されている。棺台７の一部は、この排水タンク４１を利用して支持されている。
【００３８】
このように排水タンク４１を負圧に強い略円筒状に形成することにより、減圧ポンプ４２による排水タンク４１の減圧の際に、該排水タンクに亀裂や変形等が発生することを防止することが可能になる。なお、図４において省略されているが、荷物室６の右側に設けられた排水タンク４１も、図４に示す左側の排水タンクと同様に略円筒状に形成されている。
【００３９】
このように、本発明の湯灌車１の排水タンクは、ほぼ同様の形状に２分割され、荷物室６の左右両側にそれぞれ設置されている。その結果、湯灌車１の重量バランスを良好にすることが可能になる。
【００４０】
次に、図４ないし図６に基づいて、排水タンク４１を利用して棺台７の一部を支持する構成を、より詳しく説明する。
【００４１】
図５は、湯灌車１に設置された一対の排水タンク４１の上面図である。図６は、図４の排水タンク４１の背面図であり、排出管や吸引管等を省略した状態を示している。
【００４２】
本実施形態において、排水タンク４１は、棺台７と荷物室６の床との間であって前記一対のタイヤハウス６４の上方にそれぞれ配置されている。また、図５に示すように、一対の排水タンク４１は、汚水を排出するための排出管４３と減圧ポンプ４２に連結された吸引管４４を介して連結されている。さらに、各排水タンク４１は、図４及び図６に示すように、荷物室６の床に立設された６本の支持脚９１を介して支持されている。
【００４３】
支持脚９１は金属製部材より構成されており、排水タンク４１が汚水で満たされた場合であっても確実に支持し得るように、排水タンクに溶接、固定されている。後部ドア側に設けられた２本の支持脚９１は、図４に示すように排水タンク４１の端面に溶接されており、残りの４本の支持脚９１は、排水タンク４１の周面に溶接されている。また、支持脚９１同士は、図４に示すように、補強部材９２を介して連結されている。
【００４４】
なお、支持脚９１を排水タンク４１に固定させる手段は好ましくは隅肉溶接であるが、特に限定されず、例えば、ボルトやネジ等を用いる手段であってもよい。このような支持脚９１の構成により、排水タンク４１を安定的に支持することが可能になる。
【００４５】
一方、排水タンク４１の上方には、略Ｔ字状の金属製部材よりなる支持部材９３が軸方向に沿って３つ設けられている。支持部材９３は、図４及び図５に示すように排水タンク４１の上にほぼ等間隔で溶接、固定されている。また、各支持部材９３の上方端部には、棺台７のフレーム７２をネジ止めできるように、雌ねじ９４が形成されている。なお、支持部材９３を排水タンク４１に固定させる手段は特に限定されず、好ましくは隅肉溶接である。
【００４６】
これらの支持部材９３の上には、図４に示す一点鎖線に沿ってフレーム７２が載置されるようになっている。フレーム７２には、各支持部材９３の雌ねじ９４に対応するように、ネジ穴７３が形成されている。支持部材９４に載置されたフレーム７２は、前記ネジ穴７３を介して、ネジ７４により固定されるようになっている。これにより、フレーム７２を確実に支持することが可能になるので、例えば、車両の走行中に生じた振動によって棺台７が落下することはない。なお、フレーム７２を支持部材９３に固定させる手段は、ネジに限定されず、例えば、溶接等であってもよい。
【００４７】
このようにして組み立てられたフレームの上には、図６に示すように載置板７１が設置されるようになっている。さらに、載置板７１を設置した棺台７の上には、必要に応じて棺５が載置されるようになっている。
【００４８】
なお、上述の説明において右側の排水タンク４１に関する説明は省略したが、図６に示すように、棺台７のフレーム７２の一部は、左側の排水タンク４１と同様に右側の排水タンク４１によっても支持されている。このように、棺台７の一部を左右両側の排水タンク４１を用いて支持することにより、棺台７をより安定的に支持することが可能になる。
【００４９】
また、排水タンク４１をタイヤハウス６４の上方に設けることによって、排水タンクの位置が高くなるので、該排水タンクの下に配管（排出管）を配置することが可能になる。その結果、排水タンク４１に貯留する汚水を、完全に排出させることが可能になる。
【００５０】
さらに、荷物室６の床に対する棺台７の支持を、排水タンク４１の支持脚９１と兼用することができるため、部材も少なくて済み、荷物室６の空間を有効に利用することが可能になる。その結果、湯灌の儀式に必要とされる道具等の小物をより多く、整頓して搭載することが可能になる。
【００５１】
次に、図４に基づいて、洗浄槽２に残溜する汚水を回収する際における、排水タンク４１の作用について説明する。
【００５２】
洗浄槽２に残溜する汚水を回収する際には、先ず、真空ポンプよりなる減圧ポンプ４２を用いて排水タンク４１内の圧力を減少させる。そして、排水タンク４１内に生じた負圧を利用して、排水タンク４１内に汚水を流入させるようになっている。
【００５３】
このような汚水の回収過程において、減圧ポンプ４２による排水タンク４１の減圧の結果、排水タンク４１には、該排水タンクに亀裂や変形等を生じさせるような応力が生じる。しかしながら、本発明において排水タンク４１は、負圧に強い略円筒状に形成されているので、亀裂や変形等の発生を防止することが可能である。
【００５４】
なお、上述した実施形態の説明において、棺台７は一対の排水タンク４１により部分的に支持されているものとして説明したが、棺台７を支持する構成は本実施形態に示すものに限定されない。すなわち、例えば、棺台７は、排水タンク４１のみにより支持されるものでもよく、あるいは排水タンク４１及びその他の装備品等により支持されるものであってもよい。
【００５５】
また、上述した湯灌車の構成は、湯灌サービスの提供を目的とする車両のみならず、例えば老人や障害者等への入浴サービスの提供を目的とする車両にも適用することが可能である。これにより、入浴後に浴槽に残溜する汚水を、車両に回収して、持ち帰ることが可能になる。
【００５６】
最後に、本発明における湯灌車の構成は、湯灌サービスの提供を目的とする車両のみならず、例えば老人や障害者等への入浴サービスの提供を目的とする車両にも用いることが可能である。
【００５７】
【発明の効果】
上述したように、本発明の湯灌用特殊車両は、排水タンクを略円筒状に構成している。その結果、減圧ポンプにより排水タンクに負圧が与えられた場合であっても、排水タンクの変形や亀裂等の発生を防止することが可能になる。
【００５８】
また、排水タンクをタイヤハウスの上方に設けることによって、排水タンクの位置が高くなるので、該排水タンクの下に配管（排出管）を配置することが可能になる。その結果、排水タンクに貯留する汚水を、完全に排出させることが可能になる。
【００５９】
さらに、荷物室の床に対する棺台の支持を、排水タンクの支持脚と兼用することができるため、部材も少なくて済み、荷物室の空間を有効に利用することが可能になる。その結果、湯灌の儀式に必要とされる道具等の小物をより多く、整頓して搭載することが可能になる。
【００６０】
さらに、本発明の湯灌用特殊車両の排水タンクは、ほぼ同様の重量を有するように２分割され、荷物室の左右両側にそれぞれ設置されている。このような排水タンクの構成により、湯灌用特殊車両の重量バランスを良好にすることが可能になる。
【００６１】
さらに、本発明の湯灌用特殊車両の棺台の一部は、左側及び右側の排水タンクによって支持されている。このように、棺台の一部を、荷物室の左右両側に設けられた排水タンクを利用して支持することにより、棺台をより安定的に支持することが可能になる。
【図面の簡単な説明】
【図１】湯灌用特殊車両の側面図であって、一部を切り欠いた状態を示している。
【図２】湯灌用特殊車両の上面図であって、一部を切り欠いた状態を示している。
【図３】湯灌用特殊車両の背面図であって、後部ドアを取り除いた状態を示している。
【図４】湯灌用特殊車両の荷物室の左側に位置する排水タンクと、棺台のフレームの一部を示す分解斜視図である。
【図５】湯灌用特殊車両に設置された一対の排水タンクの上面図である。
【図６】図５の排水タンクの背面図であり、排出管、吸引管等を省略した状態を示している。
【図７】従来の湯灌用特殊車両の上面図であって、一部を切り欠いた状態を示している。
【図８】棺を搭載した従来の湯灌用特殊車両の背面図であって、後部ドアを取り除いた状態を示している。
【符号の説明】
１      湯灌用特殊車両（湯灌車）
１０    従来の湯灌用特殊車両
２      洗浄槽
３１    温水タンク
３２    送出ポンプ
４１    排水タンク
４２    減圧ポンプ
４３    排出管
４４    吸引管
５      棺
６      荷物室
６１    上空間
６２    下空間
６４    タイヤハウス
７      棺台（天板）
７１    載置板
７２    フレーム
７３    ネジ穴
７４    ネジ
７５    支柱
８      ホースリール
９１    支持脚
９２    補強部材
９３    支持部材
９４    雌ねじ
【図１】
0003623119.tif 000002
【図２】
0003623119.tif 000003
【図３】
0003623119.tif 000004
【図４】
0003623119.tif 000005
【図５】
0003623119.tif 000006
【図６】
0003623119.tif 000007
【図７】
0003623119.tif 000008
【図８】
0003623119.tif 000009